(57)【特許請求の範囲】
【請求項１】
矩形ベースと、コ字状及び逆コ字状で鈍角に開いた状態で対称にてベース上に立設されたベース側側壁と、ベース側側壁に穿設されたベース側通孔と、ベース上に配設された上プレートと、上プレートの下面に垂設され、短辺側と長辺側で構成された上プレート側側壁と、上プレート側側壁に穿設された上プレート側通孔と、ベースと上プレートとの間に配設された負荷担持用の弾性体と、ベース側通孔と上プレート側通孔とに貫通され、少なくともいずれか一方の通孔より細径の挿通バーとで構成されている防振装置において、
ベース側側壁の両側の傾斜片部に合わせてその長辺側の上プレート側側壁が山形に形成され、且つ
上プレート側側壁にその傾斜に合わせてテーパ座金が溶接されている事を特徴とする防振装置。
【発明の詳細な説明】
【０００１】
【産業上の利用分野】
本発明は、各種機器の脚部に設置され、機器の振動が建物等に伝達される事を防止する防振装置に関する。
【０００２】
【従来の技術】
防振装置は、一般的にはベース（１）、上プレート（４）並びに弾性体（６）で構成されており、ベース（１）に垂直に植設した上プレート（４）をボルト（１２）にて遊嵌状にて取り付けているものである。ベース（１）は床面（１５）に固定され、上プレート（４）は負荷（１３）に取着され、弾性体（６）にて負荷（１３）が担持されている。上プレート（４）は負荷（１３）と共に動き、弾性体（６）の弾発力によって制振される。
ボルト（１２）は、図７に示すようにベース（１）に固定されて垂直に立設しており、このベース（１）に固定・立設されたボルト（１２）が上プレート（４）に穿設されたバカ孔（１４）に遊嵌され、通常の状態では水平方向に上プレート（４）がある一定の範囲で移動できるようになっている。
【０００３】
また、ボルト（１２）の先端にはナット（１２ａ）が装着されており、ナット（１２ａ）と上プレート（４）との間に垂直方向のクリアランス（Ｋ）が設けられており、上プレート（４）が前記クリアランス（Ｋ）の範囲で垂直方向に移動出来るようになっている。これにより、水平方向及び垂直方向のクリアランス（Ｋ）の範囲内で、上プレート（４）はＸＹＺの３方向に移動出来る。
【０００４】
さて、地震のような衝撃的な振動が伝達された場合、前記クリアランス（Ｋ）以上の変位がＸＹＺの３方向の何れか又は全方向に発生するが、この場合はナット（１２ａ）や上プレート（４）のボルト（１２）が挿通されているバカ孔にボルト（１２）が衝突し、それ以上の変位が弾性体（６）に加わらないようにしている。
【０００５】
さて、従来例において、ボルト（１２）はベース（１）にその基部が溶接又は嵌め合い固定された片持状態で立設されているため、地震のような過大な衝撃力が加わると衝撃曲げモーメントにて基部から折れ曲がる可能性がある。それ故、出来る限り太いボルトを完全にベース（１）に溶接又は嵌め合い固定する必要があり、加工手間がかかるという問題がある。
また、ベース（１）側でも前述のように太いものをボルト（１２）に使用する関係上、ボルト（１２）に負けないだけの強度をもつベース（１）を用意しなければならず、必要以上に部材を大きくしなければならないという問題がある。
【０００６】
また、ボルト（１２）はベース（１）の四隅に立設・固定されているので、組み立てや調整も４箇所必要であって手間であり、組立作業の簡便化にも難点があるという問題があった。
【０００７】
【発明が解決しようとする課題】
本発明の解決課題は、部材を必要以上に大きいものを必要とせず、組み立てや調整も簡単である防振装置の開発にある。
【０００８】
請求項１に記載の防振装置は『矩形ベース(1)と、コ字状及び逆コ字状で鈍角に開いた状態で対称にてベース(1)上に立設されたベース側側壁(2)と、ベース側側壁(2)に穿設されたベース側通孔(3)と、ベース(1)上に配設された上プレート(4)と、上プレート(4)の下面に垂設され、短辺側と長辺側で構成された上プレート側側壁(5)と、上プレート側側壁(5)に穿設された上プレート側通孔(8)と、ベース(1)と上プレート(4)との間に配設された負荷担持用の弾性体(6)と、ベース側通孔(2)と上プレート側通孔(8)とに貫通され、少なくともいずれか一方の通孔(2)(8)より細径の挿通バー(7)とで構成されている防振装置において、ベース側側壁(2)の両側の傾斜片部(2a)に合わせてその長辺側の上プレート側側壁(5)が山形に形成され、且つ上プレート側側壁(5)にその傾斜に合わせてテーパ座金(9)が溶接されている』事を特徴とする。
【０００９】
これによれば、ベース（１）内に弾性体（６）を配設し、間隙（Ｋ）を以て上プレート（４）をベース（１）に上方から被嵌し、挿通バー（７）をベース側通孔（３）と上プレート側通孔（８）に挿通するだけで組み立てる事が出来るので、組立が非常に簡単になる。また、地震のような衝撃荷重が防振装置（Ａ）に加わり、間隙（Ｋ）以上の変位が発生した場合に、挿通バー（７）に直角方向の変位に対してはベース側通孔（３）が挿通バー（７）に接触して止まる事になるが、挿通バー（７）の両端は上プレート側側壁（５）に固定された両端支持となっており、挿通バー（７）には衝撃曲げモーメントでなく、剪断力が加わることになる。それ故、衝撃曲げモーメントに耐えなければならない従来例ほどの強度が要求されず、従来例より小さい部材で足る。
【００１０】
【実施例】
以下、本発明を図示実施例に従って詳述する。ベース(1)は矩形板状のもので、その端部中央に長孔(11a)が穿設されており、ベース(1)の四隅に円形の取付孔(11b)が穿設されている。ベース(1)の上面において、長孔(11a)の内側には、コ字形及び逆コ字型のベース側側壁(2)が対称に立設されている。前記ベース側側壁(2)は内壁本体(2b)とその両側に屈曲されて設けられた傾斜片部(2a)とで構成されており、その傾斜片部(2a)に一対のベース側通孔(3)が穿設されている。ベース側側壁(2)の傾斜片部(2a)は内壁本体(2b)に対して若干鈍角に開いている。
【００１１】
上プレート（４）は下面開口の皿状のもので、その周囲に上プレート側側壁（５）が垂設されている。上プレート側側壁（５）は図３から分かるように、短辺側はベース（１）の短辺に平行に設けられているが、その長辺側は山形に形成されており、ベース側側壁（２）との間で一定の間隙（Ｋ）が形成されるようになっている。上プレート（４）の上面には複数の荷重取付孔（１０）が形成されており、負荷（１３）の脚部が何れかの荷重取付孔（１０）に螺着されるようになっている。
【００１２】
上プレート側側壁（５）にはベース側通孔（３）に対応して上プレート側通孔（８）が穿設されており、上プレート側通孔（８）の外面にテーパ座金（９）が溶接されている。ベース側通孔（３）と上プレート側通孔（８）は図３から分かるように、ベース側通孔（３）の方が大きく形成されている。テーパ座金（９）は上プレート側側壁（５）の傾斜に合わせて一方が他方に比べて厚肉となっており、テーパ座金（９）を上プレート側側壁（５）に溶接する事によりテーパ座金（９）の外面同士は互いに平行となる。
図示していないが、逆に、ベース側通孔（３）の内側にテーパ座金（９）を溶接し、ベース側通孔（３）より大きい口径の上プレート側通孔（８）を上プレート側側壁（５）に穿設してもよい。その場合は後述する挿通バー（７）がベース側側壁（２）に固定され、挿通バー（７）の両端部分が上プレート側通孔（８）に非接触で挿通されるようになる。
【００１３】
挿通バー（７）の一端には頭部（７ａ）が形成されており、他端に取付ナット（７ｂ）が螺着されるようになっている。
【００１４】
弾性体（６）はコイルバネ（６ａ）と被覆部（６ｂ）とで構成されており、コイルバネ（６ａ）は被覆部（６ｂ）内に埋入されている。被覆部（６ｂ）は例えばゴムのような柔軟な弾性材で形成されている。コイルバネ（６ａ）と共に伸縮するようになっている。また、被覆部（６ｂ）はコイルバネ（６ａ）を外界から隔離し防錆効果も発揮する。弾性体（６）は図１から分かるように、１つの防振装置（Ａ）内に１乃至複数個（本実施例では６個であるが、勿論これに限られず、必要個数が適宜配置される事になる。）され、上プレート（４）を支えるようになっている。
【００１５】
防振装置（Ａ）の組み立ては、ベース（１）のベース側側壁（２）内に適宜個数の弾性体（６）を配置し、上プレート（４）を上から被せ、弾性体（６）を圧縮してベース側通孔（３）と上プレート側通孔（８）とを一致させ、両者が一致した所で挿通バー（７）を挿通し、取付ナット（７ｂ）を２箇所の挿通バー（７）の先端に螺入して締め上げるだけで完了である。従って、その組み立ては非常に簡便である。
【００１６】
（作用）
上プレート（４）はベース（１）の上方に配設されており、ベース側側壁（２）は間隙（Ｋ）を持って上プレート側側壁（５）内に嵌まり込んでいる。ベース（１）と上プレート（４）の間には１乃至複数個の弾性体（６）が配設されており、負荷（１３）を担持するようになっている。上プレート側通孔（８）とベース側通孔（３）とは一致しており、上プレート側通孔（８）に挿通された挿通バー（７）がベース側通孔（３）に接触する事なく挿通されている。
【００１７】
ベース（１）は長孔（１１ａ）や取付孔（１１ｂ）を使用して床面（１５）に固定されており、上プレート（４）は負荷（１３）の脚に固定されている。この状態で負荷（１３）が作動し、負荷（１３）から振動が伝わって来ても上プレート（４）の上プレート側側壁（５）とベース（１）のベース側側壁（２）とは間隙（Ｋ）をもって離間しているために、その振動と共に上プレート（４）が前後左右上下のＸＹＺの３方向に自由に移動する事ができ、弾性体（６）によって前記振動が吸収される事になる。
【００１８】
弾性体（６）は前述のようにコイルバネ（６ａ）と被覆部（６ｂ）とで構成されているために、振動周波数に起因するサージングがコイルバネ（６ａ）に発生しようとしても被覆部（６ｂ）の内部減衰力によりそのサージングを解消する事が出来、防振装置（Ａ）に起因する振幅増大を抑制する事ができ、極めて効果的な防振効果を得る事が出来る。
【００１９】
次に、地震のように衝撃荷重が防振装置（Ａ）に加わり、間隙（Ｋ）以上の変位が発生した場合には、挿通バー（７）に直角方向の変位に対してはベース側通孔（３）が挿通バー（７）に接触して止まる事になる。この時、挿通バー（７）の両端は上プレート側側壁（５）に固定された両端支持となっており、挿通バー（７）には衝撃曲げモーメントでなく、剪断力が加わることになり、従来例ほどの強度が要求されない。また、挿通バー（７）に平行な方向の衝撃力が加わった時は、傾斜片部（２ａ）が上プレート側側壁（５）に面接触する事になる。
【００２０】
【発明の効果】
本発明によれば、ベースと上プレートが、ベース側側壁のベース側通孔と上プレート側側壁の上プレート側通孔に挿通された挿通バーで接続されているので、地震のような衝撃荷重が加わっても上プレートに両端支持されている挿通バーには剪断力しか加わらず、挿通バーを必要以上に強いものにする必要がない。また、この挿通バーは上プレートを貫通するように配設されているので、必要個数は２本で足り、部材を少なくする事が出来るだけでなく、組み立ても挿通だけでよいために非常に簡単であるという利点がある。
【図面の簡単な説明】
【図１】本発明にかかる防振装置の平面図
【図２】図１の正面図
【図３】図１の一部切欠部分拡大平面図
【図４】図２の部分拡大正面図
【図５】従来例の平面図
【図６】従来例の断面図
【符号の説明】
（１）…ベース
（２）…ベース側側壁
（３）…ベース側通孔
（４）…上プレート
（５）…上プレート側側壁
（６）…弾性体
（７）…挿通バー
（８）…上プレート側通孔
【図１】
0003590818.tif 000002
【図２】
0003590818.tif 000003
【図３】
0003590818.tif 000004
【図４】
0003590818.tif 000005
【図５】
0003590818.tif 000006
【図６】
0003590818.tif 000007